(57)【特許請求の範囲】
【請求項１】
点検する便座の開口径よりも面積が大きく、正面側から背面後方を視認できる透光性を有する本体板の背面に、前記便座の開口径よりも大きく前記便座の座面の外径より小さい間隔を開けて、前記背面から突出し前記便座の座面に当接する突条の一対が設けられ、
所定の温度で表示が変化する領域の複数が並べて設けられ、検知された温度を数字で表示する表示面を備えた示温ラベルが、前記本体板の背面における前記突条の間の位置と、前記突条の前記座面への当接面に、前記表示面を介して貼付されていることを特徴とする暖房洗浄便座点検具。
【請求項２】
前記本体板における前記突条の間の前記示温ラベルと重なる位置に、円形の目盛が表示されている請求項１に記載の暖房洗浄便座点検具。
【請求項３】
請求項１又は２に記載の暖房洗浄便座点検具を、前記便座の開口が前記突条の間に位置し前記本体板で覆われる状態で載置し、前記便座の洗浄ノズルを動作させ、洗浄水が前記本体板の背面に貼付された前記示温ラベルに当たっている状態を、前記本体板の背面及び前記突条の前記座面への当接面に貼付された前記示温ラベルの表示を含めて撮像することを特徴とする暖房洗浄便座点検方法。
【発明の詳細な説明】
【技術分野】
【０００１】
本発明は、暖房洗浄便座の動作を確認するための暖房洗浄便座点検具及び暖房洗浄便座点検方法に関するものである。
【背景技術】
【０００２】
近年、公共施設に設けられたトイレの便器にも、暖房洗浄便座の設置が進められている。暖房洗浄便座は、日本工業規格（ＪＩＳ  Ａ  ４４２２）も定められている多数の機能を備えているが、利用者数の多いトイレでは、暖房洗浄便座に不具合が生じ、この規格を満たさないものとなる可能性が高くなっている。そのため、暖房洗浄便座の動作が規格を満たしているかどうかを定期的に確認する必要がある。
【０００３】
しかしながら、暖房洗浄便座は低い位置に設置されているため、点検のためには中腰の姿勢をとる必要があり、点検者の身体への負担が大きいものとなっていた。しかも、幾つかの規格については、素手の感触や、便座に顔を近付けたうえでの目視による確認がなされており、点検作業には衛生面の問題があった。また、点検の結果は、点検者の経験に基づく感覚により判断されることとなり、個人差が生じる問題もあった。
【０００４】
そこで、本出願人は、暖房洗浄便座の衛生的な点検、暖房洗浄便座の点検のための労力の低減、及び、点検者の技能に依ることのない均質な点検結果の取得を可能とする、特許第６５８１７４３号に開示されている暖房洗浄便座点検装置を提案している。
【先行技術文献】
【特許文献】
【０００５】
【特許文献１】特許第６５８１７４３号公報
【発明の開示】
【発明が解決しようとする課題】
【０００６】
暖房洗浄便座の点検において可能な限り多くの項目の検査を実施することは好ましいが、暖房洗浄便座を構成する部材の耐用年数には差があり、また、機能によってはその低下を使用方法により補うことができる場合がある。そのため、高頻度の点検を必要としない項目もある。そして、そのような項目の一つとして、洗浄水の噴射水量が挙げられる。
【０００７】
洗浄水の噴射水量は、低下した場合には噴射回数を増やすことにより洗浄機能を維持することでき、また、噴出状態の目視による適否判断ができることから、その計測を頻繁に行う必要性は低い。
【０００８】
しかしながら、従来の暖房洗浄便座点検装置では、洗浄水の噴射水量を計測するための集水部を洗浄ノズルが進入できる配置にしなければならず、そのことが装置全体の制約となっていた。
【０００９】
具体的には、集水部を安定して支持するためには、本体部を便座上に安定設置させる必要があり、そのためには、本体部の径を大きくし剛性を持たせる必要があった。更に、本体部形状の制約により、湾曲した便座表面の温度は非接触で計測する必要があり、計測装置が大型複雑化し、装置全体の大型化を招き、操作性や運搬性に劣ることが点検時間の長くなる要因の一つとなっていた。
【００１０】
更に、従来の暖房洗浄便座点検装置を使用した点検では、点検項目の入力作業や点検データの出力作業が必要となり、これらの作業も点検時間の長くなる要因となっていた。
【００１１】
そこで、本発明は、高い頻度での点検が必要となる項目について、少ない労力で衛生的に点検できるとともに、点検者の技能に依ることなく均質な点検結果を、従来よりも短い時間で得ることを可能とする暖房洗浄便座点検具及び暖房洗浄便座点検方法を提供することを目的とする。
【課題を解決するための手段】
【００１２】
本発明に係る暖房洗浄便座点検具では、点検する便座の開口径よりも面積が大きく、正面側から背面後方を視認できる透光性を有する本体板の背面に、前記本体板の背面において前記便座の開口径よりも大きく前記便座の座面の外径より小さい間隔を開けて、前記背面から突出し前記便座の座面に当接する突条の一対が設けられ、所定の温度で表示が変化する領域の複数が並べて設けられ、検知された温度を数字で表示する表示面を備えた示温ラベルが、前記本体板の背面における前記突条の間の位置と、前記突条の前記座面への当接面に、前記表示面を介して貼付されている。
【００１３】
前記本体板における前記突条の間の前記示温ラベルと重なる位置に、円形の目盛が表示されていてもよい。
【００１４】
本発明に係る暖房洗浄便座点検方法では、本発明に係る暖房洗浄便座点検具を、前記便座の開口が前記突条の間に位置し前記本体板で覆われる状態で載置し、前記便座の洗浄ノズルを動作させ、洗浄水が前記本体板の背面に貼付された前記示温ラベルに当たっている状態を、前記本体板の背面及び前記突条の前記座面への当接面に貼付された前記示温ラベルの表示を含めて撮像する。
【発明の効果】
【００１５】
本発明に係る暖房洗浄便座点検具は、突条の一対が点検する便座の座面に当接することにより、点検する便座に安定した状態で載置することができる。そして、点検する便座に、その便座の開口が突条の間に位置し本体板で覆われる状態で載置し、便座の洗浄ノズルを動作させ、洗浄水を本体板の背面に貼付された示温ラベルに当てることにより、透光性を有する本体板を通した示温ラベルの表示に基づき洗浄水の温度を計測するこができる。また、便座に載置された状態において突条は座面に当接することから、透光性を有する本体板を通した、突条の座面への当接面に貼付された示温ラベルの表示に基づき便座の温度を計測することができる。更に、洗浄水の本体板の背面への当たりの有無により、洗浄ノズルが動作しているかどうかを確認できる。すなわち、点検項目の入力作業や点検データの出力作業を行うことなく、点検することができる。
【００１６】
暖房洗浄便座において、洗浄水や便座を加温するための機構は損耗しやすい傾向にあり、しかも、加温機能は使用方法により補うことができないため、洗浄水や便座の温度は可能な限り高い頻度での点検が求められる重要な項目である。また、洗浄ノズルの駆動部も損耗しやすい傾向にあり、しかも、洗浄ノズルの動作しない状態は使用方法により補うことができないため、洗浄ノズルの動作の有無も可能な限り高い頻度での点検が求められる重要な項目である。
【００１７】
本発明に係る暖房洗浄便座点検具によれば、これらの項目を少ない労力で衛生的に点検できる。しかも、示温ラベルの数字表示に基づく点検結果は、点検者の技能に依ることなく均質なものとなる。なお、洗浄ノズルの動作の有無は洗浄水の本体板への当たりにより判断できるため、それらの点検結果もまた、点検者の技能に依ることなく均質なものとなる。すなわち、高い頻度での点検が必要となる項目について、少ない労力で衛生的に点検できるとともに、点検者の技能に依ることなく均質な点検結果を得ることができる。
【００１８】
更に、本発明に係る暖房洗浄便座点検具は、背面に突条が設けられた本体板とそこに貼付された示温ラベルのみの簡素な構成であるため、操作も運搬も容易に行うことができる。すなわち、操作性と運搬性に優れたものとなり、点検時間の短縮を図ることができる。
【００１９】
また、暖房洗浄便座において、洗浄ノズルの洗浄水噴出口は、詰まり易い傾向にあり、詰まりにより水流が細くなると洗浄する部位にかかる水圧が高くなり好ましくない。そして、噴出口の詰まりは使用方法により補うことができないため、噴出口の詰まりの状態も可能な限り高い頻度で点検を行うことが好ましい。これに対し、本体板における突条の間の示温ラベルと重なる位置に、円形の目盛が表示されていれば、本体板の背面に当たった洗浄水の拡散範囲が目盛まで達しているかどうかにより、噴出口の詰まりの状態について、点検者の技能に依ることなく均質な点検結果を得ることが可能となる。
【００２０】
更にまた、洗浄水が本体板の背面に貼付された示温ラベルに当たっている状態を、本体板の背面及び突条の座面への当接面に貼付された示温ラベルの表示を含めて撮像することにより、点検データの保存が必要な場合であっても、点検データの出力作業を行うことなく保存することができる。すなわち、点検時間の短縮を図ることができる。
【図面の簡単な説明】
【００２１】
【図１】本発明に係る暖房洗浄便座点検具の実施形態を示す斜視図である。
【発明を実施するための形態】
【００２２】
図１を参照しながら、本発明に係る暖房洗浄便座点検具の実施形態について説明する。なお、図１において、暖房洗浄便座点検具は実線で示され、点検対象となる便座は想像線で示されている。
【００２３】
この実施形態の暖房洗浄便座点検具１は、点検する便座２の開口３の径よりも面積が大きく、正面側から背面後方を視認できる透光性を有する本体板１１と、本体板１１に貼付された示温ラベル１３で構成されている。
【００２４】
本体板１１の背面には、便座２の開口径よりも大きく便座２の座面の外径より小さい間隔を開けて、本体板１１の背面から突出し便座２の座面に当接する突条１２の一対が設けられている。
【００２５】
この実施形態において、突条１２は、本体板１１と同じ素材で形成された矩形板を本体板１１の背面に固定することにより設けられている。ただし、突条１２は、本体板１１の正面側から便座２の座面への当接面後方を視認できる透光性を有するものとなればよく、製造条件等を考慮し適宜の手法で設ければよい。
【００２６】
本体板１１及び突条１２を形成する矩形板は、アクリル樹脂で形成されている。ただし、暖房洗浄便座点検具１が便座２に載置された状態において、本体板１１の上方から、示温ラベル１３の表示と洗浄ノズルの視認が可能となり、容易に取り扱うことのできる重量となるものであれば、製造条件等を考慮し、他の素材を採用してもよい。
【００２７】
突条１２の本体板１の背面からの突出長は８ｍｍとされている。ただし、突条１２の本体板１の背面からの突出長に制限はなく、使用状況や便座２に載置された状態での安定性を考慮し適宜決めることができる。
【００２８】
この実施形態の突条１２の幅寸法は２５ｍｍとされているが、制限はなく、点検する便座２の形状等を考慮し適切な寸法とすればよい。ただし、便座２の座面表面は湾曲している場合が多いため、幅寸法が大きいと、突条１２の座面２への当接面の全面積に対する座面表面との接触割合が低下し、便座２に載置された状態での安定性を損ない、更に、便座の温度の計測結果に誤差が生じる場合がある。
【００２９】
示温ラベル１３は、所定の温度で表示が変化する領域の複数が並べて設けられ、検知された温度を数字で表示する表示面を備えている。そして、本体板１１の背面における突条１２の間と、突条１２の座面への当接面に、表示面を介して貼付されている。
【００３０】
この実施形態の示温ラベル１３には、２℃間隔の数値で温度が表示される表示面を有し、裏面が検知面となっている公知の製品が採用されている。そして、その表示面が、本体板１１の背面、及び突条１２の座面への当接面に、接着剤を使用して貼付されている。また、表示面の１８〜３２℃の温度領域が使用されている。この実施形態の示温ラベル１３には、室内液晶温度シール（製品名、ミクロン株式会社）が採用されているが、検知面に当たった洗浄水の温度と検知面が接触した座面の温度により反応し、本体板１１の上方から視認できる表示面を有するものであればよく、使用状況に応じて、公知の製品を適宜採用すればよい。
【００３１】
本体板１１における突条１２の間の示温ラベル１３と重なる位置には、円形の目盛１４が表示されている。この実施形態では、直径４０ｍｍ、６０ｍｍ、８０ｍｍ、１００ｍｍの四固の同心円が印刷された透明のシールを、本体板１１の表面に貼付することにより表示されている。ただし、円形の目盛１４の表示手法に制限はなく、洗浄水の本体板１１への当たり状態、及び、示温ラベル１３の表示の視認の妨げとならない範囲で、適切な手法で表示すればよい。
【００３２】
便座２に座った人が正面を向く方向を前方として、示温ラベル１３の前方側端部が貼付される位置の周囲に、湾曲し本体板１１を貫通する溝を設け、その溝に差し込み取り付けた可撓性板材により、示温ラベル１３の前方側端部を囲い本体板１１の背面から垂下する周壁を設けてもよい。これにより、本体板１１の背面に当たった洗浄水が跳ね返り、便座２の開口３の外へ飛散することを防止することができる。しかも、周壁を形成する可撓性板材は、暖房洗浄便座点検具１を便座に載置した後、必要に応じて取り付けるものであるため、操作性や運搬性を損なうことなく、点検時間に影響を及ぼすこともない。
【００３３】
暖房洗浄便座点検具１を点検に用いる際は、点検する便座２に、その便座２の開口３が突条１２の間に位置し本体板１１で覆われる状態で載置する。そして、便座２の洗浄ノズルを動作させ、洗浄水が本体板１１の背面に貼付された示温ラベル１３に当たる状態とする。このとき、示温ラベル１３の表示は、透光性を有する本体板１１を通して視認できるため、その表示に基づき洗浄水の温度を計測するこができる。また、座面に当接している、突条１２の座面への当接面に貼付された示温ラベル１３の表示も、同様に、透光性を有する本体板１１を通して視認できるため、その表示に基づき便座２の温度を計測することができる。更に、洗浄水の本体板１１の背面への当たりの有無により、洗浄ノズルが動作しているかどうかを確認できる。更にまた、円形の目盛１４を利用した洗浄水の拡散範囲の計測により、洗浄ノズルの洗浄水噴出口の詰まりの状態を確認できる。
【００３４】
更にまた、洗浄水が本体板１１の背面に貼付された示温ラベル１３に当たっている状態を、本体板１１の背面及び突条１２の座面への当接面に貼付された示温ラベル１３の表示を含めて撮像することにより、点検データとして保存することが可能となる。
【符号の説明】
【００３５】
１    暖房洗浄便座点検具
２    便座
３    開口
１１  本体板
１２  突条
１３  示温ラベル
１４  円形の目盛
【要約】      （修正有）【課題】高い頻度での点検が必要となる項目について、少ない労力で衛生的に点検でき、点検者の技能に依ることなく均質な点検結果を、従来よりも短い時間で得る。【解決手段】点検する便座２の開口３径よりも面積が大きく、正面側から背面後方を視認できる透光性を有する本体板１１の背面に、便座２の開口３径よりも大きく便座２の座面の外径より小さい間隔を開けて、背面から突出し便座２の座面に当接する突条１２の一対が設けられ、所定の温度で表示が変化する領域の複数が並べて検知された温度を数字で表示する表示面を備えた示温ラベル１３が、本体板１１の背面における突条１２の間の位置と、突条１２の座面への当接面に、表示面を介して貼付され、便座２の開口３が突条１２の間に位置し本体板１１で覆われる状態で載置し、便座２の洗浄ノズルを動作させ、洗浄水が示温ラベル１３に当たっている状態を、示温ラベル１３の表示を含めて撮像する。【選択図】図１【図１】
0006853912.tif 000002